(57)【要約】      （修正有）【課題】椅子の座席裏面に簡単に取り付けることができ、座席下での収容部の平面位置を自由に変更できる収納袋装置を提供する。【解決手段】収納袋装置１は、板状シート部２と、板状シート部の外縁全周に連続接合して一体化され内部に収納空間を形成する被覆部３と、を含む袋本体４と、椅子に袋本体を着脱自在に固定させる着脱取り付け部５と、被覆部を開閉する開閉部６とを含む。袋本体は、被覆部を下位とするように板状シート部を椅子の座板裏平面に面合わせ状に対向して配置させ、椅子の座板裏面に下側から抱き着き状に取り付けられる。着脱取り付け部は、袋本体の複数個所に設けられ、座席裏面での袋本体の平面位置を自由に変更して設定できる。【選択図】図１
0003208840.tif 000002
【実用新案登録請求の範囲】
【請求項１】
板状シート部と、
板状シート部の外縁全周に連続接合して一体化され板状シート部とともに内部に収納空間を形成するように板状シート部のシート面から一方向に膨出して形成された被覆部と、
を含む袋本体であり、被覆部を下位とするように板状シート部を椅子の座板裏平面に面合わせ状に対向して配置させ、椅子の座板裏面に下側から抱き着き状に取り付けられる袋本体と、
袋本体の複数個所に設けられ、椅子に袋本体を着脱自在に固定させる着脱取り付け部と、
椅子の座板裏面に袋本体を取り付けた状態で被覆部を開閉する開閉部と、を含むことを特徴とする収納袋装置。
【請求項２】
着脱取り付け部は、板状シート部の外縁に複数個取り付けられ、各着脱取り付け部は袋本体と椅子への取付固定部との長さを可変調整自在であることを特徴とする請求項１記載の収納袋装置。
【請求項３】
着脱取り付け部は、椅子の一部に緊締離脱自在に緊締する緊締装置を含むことを特徴とする請求項１又は２記載の収納袋装置。
【請求項４】
開閉部は、被覆部の膨出外郭部を直線状に分割し、その分割縁を切離結合することにより開閉することを特徴とする請求項１ないし３のいずれかに記載の収納袋装置。
【請求項５】
開閉部は、板状シート部と被覆部との接合部に沿って分割し、その分割縁を切離結合することによって抱き着き状の袋本体を横開き開閉することを特徴とする請求項１ないし３のいずれかに記載の収納袋装置。
【請求項６】
開閉部は、分割縁を切離結合自在に開閉する線ファスナ機構を含むことを特徴とする請求項４又は５記載の収納袋装置。
【考案の詳細な説明】
【技術分野】
【０００１】
本考案は、椅子体に取り付ける収納袋装置に関する。
【背景技術】
【０００２】
室内外で人が腰を掛け座る際に体を支えるために用いる器具としての椅子が知られている。一方、近時の大規模地震、群発地震、津波、竜巻等は人の予知を超えて突然に発生する場合が多く、避難ルートを含めた事前の安全対応準備が求められる。身近に配置する災害等に備える物品としては例えば食糧、手袋、靴の他にヘルメット等の災害備品がある。ある程度長い時間、椅子に腰かけた状態を維持する必要があるような学校授業、講演会、種々の集会では、密に椅子を並べて配置することから、不慮の自然災害等への対応準備がされにくい。スペースのない椅子を密に配置させた状態で災害備品を保持させる場所として椅子の裏面部分がある。椅子の裏面部分に物品の収容部を設けた椅子の構造について特許文献１の提案がある。
【先行技術文献】
【特許文献】
【０００３】
【特許文献１】実公昭３２−６３０号公報
【考案の概要】
【考案が解決しようとする課題】
【０００４】
特許文献１のパイプ椅子は、座席の下部に網体で箱状に構成した物品収容部を設け、物品収容部の側方を開口して物品の出入口とし、該出入口の枠に蓋を回動自在に取り付けたものである。この特許文献１の椅子の物品収容部は、網体を各椅子のサイズに合うように切断して枠に取り付け、これを各椅子の形状、構造、サイズごとに取り付けなければならず、どのタイプの椅子についても取り付けられるわけではなく、物品収容部としての汎用性が低い欠点がある。また、物品収容部の材料、制作コストが高い。また、組み付けも容易ではなく、時間もかかる。さらに、椅子の利用者が座りやすいように座席下での収容部の平面位置を変更できないから、特許文献１の物品収容部のように、収容部が座った状態の脚に当たって気になったり、痛みを伴う場合がある。
【０００５】
本考案は、上記従来の課題に鑑みてなされたものであり、その一つの目的は、どのような形式、構造、サイズの椅子についても椅子側に特段の受部材などを必要とすることなく椅子の座席裏面に簡単に取り付けることができる収納袋装置を提供することである。また、本考案の他の目的は、椅子の利用者が座りやすいように座席下での収容部の平面位置を自由に変更できて長時間の使用時にも違和感なく使用することができる収納袋装置を提供することである。
【課題を解決するための手段】
【０００６】
上記課題を解決するために本考案は、板状シート部２と、板状シート部２の外縁全周に連続接合して一体化され板状シート部とともに内部に収納空間１１を形成するように板状シート部のシート面から一方向に膨出して形成された被覆部３と、を含む袋本体４であり、被覆部３を下位とするように板状シート部２を椅子１０の座板１２裏平面に面合わせ状に対向して配置させ、椅子の座板裏面に下側から抱き着き状に取り付けられる袋本体４と、
袋本体４の複数個所に設けられ、椅子１０に袋本体４を着脱自在に固定させる着脱取り付け部５と、椅子１０の座板１２裏面に袋本体４を取り付けた状態で被覆部３を開閉する開閉部６と、を含む収納袋装置１から構成される。
【０００７】
着脱取り付け部５は、板状シート部２の外縁に複数個取り付けられ、各着脱取り付け部５は袋本体４と椅子１０への取付固定部２４との長さＬを可変調整自在であるとよい。
【０００８】
また、着脱取り付け部５は、椅子１０の一部に緊締離脱自在に緊締する緊締装置２３を含むとよい。
【０００９】
さらに、開閉部６は、被覆部３の膨出外郭部７を直線状に分割し、その分割縁を切離結合することにより開閉するようにするとよい。
【００１０】
また、開閉部６は、板状シート部２と被覆部３との接合部に沿って分割し、その分割縁を切離結合することによって抱き着き状の袋本体２を横開き開閉する構成とするとよい。
【００１１】
さらに、開閉部６は、分割縁を切離結合自在に開閉する線ファスナ機構２６を含むとよい。
【考案の効果】
【００１２】
本考案の収納袋装置によれば、板状シート部と、板状シート部の外縁全周に連続接合して一体化され板状シート部とともに内部に収納空間を形成するように板状シート部のシート面から一方向に膨出して形成された被覆部と、を含む袋本体であり、被覆部を下位とするように板状シート部を椅子の座板裏平面に面合わせ状に対向して配置させ、椅子の座板裏面に下側から抱き着き状に取り付けられる袋本体と、袋本体の複数個所に設けられ、椅子に袋本体を着脱自在に固定させる着脱取り付け部と、椅子の座板裏面に袋本体を取り付けた状態で被覆部を開閉する開閉部と、を含む構成であるから、椅子側に特段の受部材などを必要とすることなく椅子の座席裏面に簡単に取り付けることができる。したがって、椅子が密度高く配置された学校授業、各種セミナ、講演、説明会場、公演、芸能、スポーツイベント等での限られた着座者スペースによっても災害等非常避難用物品を身近に配置させて備えることが可能である。その際、袋本体に取り付けられた複数の着脱取り付け部により、各着脱取り付け部の取り付け長さを長短設定しておくことにより、座席裏面の袋本体の平面取り付け位置を自由に変更できて長時間の使用時にも違和感なく使用することができる。
【図面の簡単な説明】
【００１３】
【図１】本考案の一実施形態に係る収納袋装置の正面図である。
【図２】図１の収納袋装置の斜視図である。
【図３】図１の収納袋装置の平面図である。
【図４】図１の収納袋装置の底面図である。
【図５】図１の収納袋装置の椅子への取付状態説明図である。
【図６】図５の収納袋装置を椅子へ取り付けた状態の椅子の背面側から見た説明図である。
【図７】袋本体と椅子への取付固定部との長さを変更した状態の要部拡大説明図である。
【図８】椅子への収納袋装置の取付位置変更状態の一例を示す概略図である。
【図９】本考案の第２の実施形態に係る収納袋装置の正面図である。
【図１０】図９の収納袋装置の平面図である。
【図１１】図９の収納袋装置の椅子への取付状態説明図である。
【図１２】収納袋装置の袋本体の形状を変形した他の例である。
【考案を実施するための形態】
【００１４】
以下、添付図面を参照しつつ本考案の収納袋装置の実施の形態について説明する。図１ないし図４は、本考案の第１実施形態に係る収納袋装置１を示しており、図において、収納袋装置１は、板状シート部２と、被覆部３と、を含む袋本体４と、着脱取り付け部５と、開閉部６と、を含む。
【００１５】
実施形態に係る収納袋装置１の袋本体４は、図１，２に示すように板状シート部２と板状シート部２の外縁から連続して立ち上げ接続されて被覆部３を形成し全体として短いかまぼこ形のバッグ形状の外形形状を有している。本実施形態において袋本体４は、合成樹脂繊維を編み込んだ丈夫な生地で形成されており、軽量で被覆部３部分は容易に形状を変形できる。
【００１６】
板状シート部２は、合成樹脂繊維を編成した薄板状の平坦部２Ａを含み例えば内部に図示しない芯材が配置されてある程度の保形性を保持する。図４に示すように、該板状シート部２の底面の四隅位置には後述の着脱取り付け部５が取り付けられている。板状シート部２は、袋本体を床面に対向して置くときには底部の台となり、椅子体に取り付けるときには袋本体を反転させて椅子体の裏面に当接状に対向配置される。
【００１７】
図１ないし図３において、被覆部３は、板状シート部とともに内部に災害用備品等の収納空間を形成する部位である。詳しくは、被覆部３は、板状シート部２の外縁全周に連続接合して一体化され板状シート部２とともに内部に収納空間１１を形成する。そして、この被覆部３は、板状シート部２のシート面から一方向に膨出する膨出外郭部７を形成し、袋体全体としてバッグ形状を呈している。実施形態において、袋本体４の収納空間１１（図１参照）には、例えば災害避難用のヘルメットが収容されている。この他、避難用靴、手袋、非常食品、その他任意の物品を収容することができる。
【００１８】
図５に示すように、袋本体４は、被覆部３を下位とするように板状シート部２を椅子１０の座板１２裏平面に面合わせ状に対向して配置させ、椅子の座板裏面に下側から抱き着き状に取り付けられる。袋本体４を座板裏面に取り付けた状態では、被覆部３は反転されて下部に膨出形成されている。椅子１０は、通常のものと同様、座板１２と、背もたれ部１４と、脚１６と、を有しており、この実施形態では４本の脚１６と、座板受け１８と、背もたれ部１４とを一体に接合したパイプ枠体と座板受け１８上に設置固定した座板１２とを含む。
【００１９】
着脱取り付け部５は、椅子１０の裏面側から椅子の座板１２と背もたれ部１４の連結部分や座板の下部の座板受け１８と脚１６との連結部分などに袋本体４を着脱自在に連結させる着脱取り付け手段である。着脱取り付け部５は袋本体４の複数個所に設けられている。実施形態において、着脱取り付け部５は、緊締装置２３を含む。実施形態において、板状シート部２の四隅において第１、第２のベルト２０、２１の一端側がそれぞれ重ねられて板状シート部に縫着して固定されている。第１ベルト２０は第２ベルト２１よりも長く設けられ、かつ止め環（Ｄ環）２２が装着されている。第１、第２ベルト２０、２１を連結したい部分を囲むように掛け回し、ベルト端部を止め環２２に通係させて締め付けて固定する。なお、緊締装置２３をベルトで構成する場合には、一つのベルト端部のみを袋本体に縫着等で固定させてベルト他端側を椅子側にかけまわして止め環やバックル等で緊締させるようにしてもよい。また、バックルの板状シート部その他の袋本体への固定は、縫着のほか、ハトメ固定その他の金属圧着固定、その他の固定方法によってもよい。本実施形態において、緊締装置２３は、第１、第２ベルト２０、２１と、止め環２２と、を含む。そして、第１、第２ベルトと椅子１０との係合部が取付固定部２４とされる。緊締装置２３は、ベルトと止め環とによる緊締だけでなく、紐、金属線材・ワイヤ等の金属索条を含む索条体、チェーン、それらとバックルとの組み合わせによる緊締、その他の緊締機構を用いることができる。
【００２０】
上述のように着脱取り付け部５は、板状シート部２の外縁に複数個取り付けられ、各着脱取り付け部５において、図７に示すように、袋本体４と椅子１０への取付固定部２４との長さＬが可変調整自在とされる。この結果、袋本体４の椅子への取り付けと、座席裏平面位置の調整設定を簡単に行える。また、取り付け後も自在に袋本体の座席裏平面位置を変更することができる。
【００２１】
開閉部６は、収納空間１１から収納物を出し入れする部位であり、特に、本実施形態では椅子１０の座板１２裏面に袋本体４を取り付けた状態で被覆部３を開閉する機構である。実施形態において、図２、３に示すように、被覆部３の膨出外郭部７を直線状に分割し、その分割縁を切離結合することにより開閉する。詳しくは、図２，３において、被覆部３の膨出外郭部７をその幅方向中央部で直線状に分割しその分割縁８に線ファスナ機構２６を設けて分割縁８を切離結合自在に開閉する。線ファスナ機構２６とすることで、紐の縫合やボタン・フックなどの開閉機構に比較して簡単、迅速に内容物の開閉取り出しができる。分割は幅方向中央部でなく、中央部より端部寄りに設けてもよい。また、開閉部６は、線ファスナ機構に限らず、面ファスナ機構、分割線に沿って分割縁部に孔を設け紐を通して結着させるもの、ボタンとホック、その他の機構を用いることができる。開閉部６は、被覆部３の膨出外郭部７を直線状に分割し、その分割縁を切離結合することにより開閉するから、反転して支持された被覆部から開閉部を介して収容物を直ちにかつ簡単に取り出して使用することができる。
【００２２】
各着脱取り付け部５は袋本体４と椅子１０への取付固定部２４との長さを可変調整自在とすることで、図８に示すように、袋本体４全体を椅子の前部、あるいは後部にずらして装着することができる。これによって、着座した状態で脚が袋本体に当たって気になったり、痛みを生じさせるようなことがない。袋本体４から取付固定部２４との取り付け長さを種々変えることにより任意の座席に対する位置に袋本体を装着できる。
【００２３】
次に、図９ないし図１０は本考案の第２実施形態を示しており、第１実施形態と同一部材には同一符号を付してその詳細な説明は省略する。この実施形態では、開閉部６は、板状シート部２と被覆部３との接合部９に沿って分割し、その分割縁を切離結合することによって抱き着き状の袋本体４を横開き開閉する。すなわち、この第２実施形態では、板状シート部２の一つの短辺部においてのみ被覆部３と縫着結合されており、他の３辺部分は切り離されて分割されている。そして、図１１に示すようにこのコ字状の被覆部３の部分が咬合開閉するように開閉動作する。これによって、抱き着き状に座板裏面に装着した袋本体４を横開き開閉する。これによっても、反転して支持された被覆部３から開閉部６を介して収容物を直ちにかつ簡単に取り出して使用することができる。特に、線ファスナ機構等による開閉とすれば、収容物を確認しながら必要なものを取り出しやすい。
【００２４】
上述の収納袋装置の袋本体４、板状シート部２、被覆部３の具体的形状は、上記の実施形態に限定されない。例えば、板状シート部２は、図１２のように矩形の一方の一辺のみその両端部分を円弧状に切り欠いた入口形状のものとすることができる。その他任意形状とし得る。椅子はパイプ椅子に限られず、座板を有するものであれば背もたれがないタイプのものでも適用可能である。なお、座板中心部に１脚のみを有するタイプの椅子には適用されない。
【００２５】
以上説明した本考案の収納袋装置は、上記した実施形態のみの構成に限定されるものではなく、実用新案登録請求の範囲に記載した本考案の本質を逸脱しない範囲において、任意の改変を行ってもよい。
【産業上の利用可能性】
【００２６】
本考案の収納袋装置は、災害備品収納用として広くある程度の時間着座する椅子に装着可能であり、災害用品分野において適用可能である。
【符号の説明】
【００２７】
１  収納袋装置
２  板状シート部
３  被覆部
４  袋本体
５  着脱取り付け部
６  開閉部
７  膨出外郭部
８  分割線
１０  椅子
１２  座板
２０  第１ベルト
２１  第２ベルト
２２  止め環
２３  緊締装置
２４  取付固定部
２６  線ファスナ機構
【図１】
0003208840.tif 000003
【図２】
0003208840.tif 000004
【図３】
0003208840.tif 000005
【図４】
0003208840.tif 000006
【図５】
0003208840.tif 000007
【図６】
0003208840.tif 000008
【図７】
0003208840.tif 000009
【図８】
0003208840.tif 000010
【図９】
0003208840.tif 000011
【図１０】
0003208840.tif 000012
【図１１】
0003208840.tif 000013
【図１２】
0003208840.tif 000014